(57)【要約】【課題】  ボタン演出機能を備える弾球遊技機において、画面開発を効率化し、開発期間の短縮や開発コストの低減を図る。【解決手段】  始動口１４に対する遊技球の入賞に応じて抽選図柄の変動表示を行う演出図柄表示部１８と、遊技者によって操作される演出ボタンＢと、演出図柄表示部１８の表示を演出ボタンＢの操作に連動させるボタン演出手段（ボタン演出処理）とを備えるパチンコ遊技機１において、演出図柄表示部１８における表示領域の一部に、ボタン演出専用の表示領域３６を設定する。【選択図】        図７
2006271630.tif 000002
【特許請求の範囲】
【請求項１】
抽選図柄の変動表示を行う図柄表示部と、遊技者によって操作される演出ボタンと、前記図柄表示部の表示を前記演出ボタンの操作に連動させるボタン演出手段とを備える遊技機において、
前記図柄表示部における表示領域の一部に、前記ボタン演出専用の表示領域を設定したことを特徴とする遊技機。
【請求項２】
前記ボタン演出専用表示領域は、前記図柄表示部における表示領域の端部に設定されることを特徴とする請求項１記載の遊技機。
【請求項３】
前記ボタン演出専用表示領域は、前記図柄表示部における表示領域の全幅に亘って設定されることを特徴とする請求項２記載の遊技機。
【請求項４】
前記ボタン演出を行わないときは、前記ボタン演出専用表示領域において目隠し図柄が表示されることを特徴とする請求項１〜３のいずれかに記載の遊技機。
【請求項５】
前記ボタン演出を行うときは、前記ボタン演出専用表示領域において前記目隠し図柄を開く表示が行われることを特徴とする請求項４記載の遊技機。
【請求項６】
前記ボタン演出専用表示領域において前記目隠し図柄を開く表示が行われた後、所定時間経過しても前記演出ボタンが操作されないときは、前記ボタン演出専用表示領域において前記目隠し図柄を閉じる表示が行われることを特徴とする請求項５記載の遊技機。
【請求項７】
前記ボタン演出は、前記演出ボタンの操作タイミングに応じて結果が変化するミニゲーム演出であることを特徴とする請求項１〜６のいずれかに記載の遊技機。
【請求項８】
前記ミニゲーム演出は、複数種類のミニゲームを含み、いずれか一つが選択的に実行されることを特徴とする請求項７記載の遊技機。
【請求項９】
前記ミニゲーム演出の結果に応じて以降の演出内容を変化させることを特徴とする請求項７又は８記載の遊技機。
【請求項１０】
前記ミニゲーム演出の結果に応じて抽選結果の予告演出を行うことを特徴とする請求項７〜９のいずれかに記載の遊技機。
【発明の詳細な説明】
【技術分野】
【０００１】
本発明は、パチンコ遊技機、スロットマシンなどの遊技機に関し、特に、図柄表示部の表示を演出ボタンの操作に連動させるボタン演出機能を備えた遊技機に関する。
【背景技術】
【０００２】
近年、遊技者によって操作される演出ボタンを上皿などに備え、該演出ボタンの操作により、遊技者の遊技に対する参加意識を高め遊技機が増えている（例えば、特許文献１参照）。この種の遊技機は、抽選図柄を変動表示する図柄表示部において演出ボタンの操作を要求すると共に、図柄表示部の表示を演出ボタンの操作に連動させるボタン演出を行っている。
【特許文献１】特開２００４−２４２７４８号公報
【発明の開示】
【発明が解決しようとする課題】
【０００３】
しかしながら、ボタン演出機能を備える従来の遊技機は、ボタン演出に係る表示を抽選図柄の変動表示領域で行っているため、画面構成が複雑になり、開発に手間がかかるという問題がある。また、従来のボタン演出は、それ自体がゲーム性を持たないため、遊技者の参加意識を高めることが難しいという問題もあった。
【課題を解決するための手段】
【０００４】
本発明は、上記の如き実情に鑑みこれらの課題を解決することを目的として創作されたものであって、抽選図柄の変動表示を行う図柄表示部と、遊技者によって操作される演出ボタンと、前記図柄表示部の表示を前記演出ボタンの操作に連動させるボタン演出手段とを備える遊技機において、前記図柄表示部における表示領域の一部に、前記ボタン演出専用の表示領域を設定したことを特徴とする。このように構成すると、抽選図柄変動画面とボタン演出画面を別々に開発できるので、画面開発の効率化により、開発期間の短縮や開発コストの低減が図れる。
また、前記ボタン演出専用表示領域は、前記図柄表示部における表示領域の端部に設定されることを特徴とする。このように構成すると、抽選図柄の変動表示領域を圧迫することなく、ボタン演出専用の表示領域を確保することができる。
また、前記ボタン演出専用表示領域は、前記図柄表示部における表示領域の全幅に亘って設定されることを特徴とする。このように構成すると、図柄表示部における表示領域の端部であっても、可及的に広いボタン演出専用表示領域を確保できる。
また、前記ボタン演出を行わないときは、前記ボタン演出専用表示領域において目隠し図柄が表示されることを特徴とする、このように構成すると、非ボタン演出時において、遊技者の意識を抽選図柄変動表示に集中させることができる。
また、前記ボタン演出を行うときは、前記ボタン演出専用表示領域において前記目隠し図柄を開く表示が行われることを特徴とする。このように構成すると、ボタン演出専用表示領域におけるボタン演出の開始を遊技者に確実に報知することができる。
また、前記ボタン演出専用表示領域において前記目隠し図柄を開く表示が行われた後、所定時間経過しても前記演出ボタンが操作されないときは、前記ボタン演出専用表示領域において前記目隠し図柄を閉じる表示が行われることを特徴とする。このように構成すると、ボタン演出に興味がなく、演出ボタンを操作しない遊技者に対して、ボタン演出の表示時間を短縮することができる。
また、前記ボタン演出は、前記演出ボタンの操作タイミングに応じて結果が変化するミニゲーム演出であることを特徴とする。このように構成すると、ボタン演出自体にゲーム性を付与し、遊技者の参加意識を高めることができる。
また、前記ミニゲーム演出は、複数種類のミニゲームを含み、いずれか一つが選択的に実行されることを特徴とする。このように構成すると、ミニゲームに対する遊技者の興味が増すので、演出効果を高めることができる。
また、前記ミニゲーム演出の結果に応じて以降の演出内容を変化させることを特徴とする。このように構成すると、ミニゲームに対する遊技者の興味が増すので、演出効果を高めることができる。
また、前記ミニゲーム演出の結果に応じて抽選結果の予告演出を行うことを特徴とする。このように構成すると、ミニゲームに対する遊技者の興味が増すので、演出効果を高めることができる。
【発明の効果】
【０００５】
以上のような構成によれば、図柄表示部における表示領域の一部に、ボタン演出専用の表示領域を設定したことにより、抽選図柄変動画面とボタン演出画面を別々に開発することが可能になる。その結果、画面開発が効率化され、開発期間の短縮や開発コストの低減を図ることができる。
【発明を実施するための最良の形態】
【０００６】
［基本構成］
次に、本発明の実施形態について、図面に基づいて説明する。図１及び図２において、１はパチンコ遊技機（遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、パチンコ遊技が可能になる。
【０００７】
パチンコ遊技機１の正面は、遊技球が発射される遊技盤４と、その前方を覆う開閉自在なガラス枠５と、遊技球を溜める上皿６と、上皿６の余剰球を溜める下皿７と、遊技球の発射操作を行う発射ハンドル８と、遊技球の貸出操作を行う貸出操作部９と、効果音を出力するスピーカ１０と、遊技者によって操作される演出ボタンＢとを備えており、また、パチンコ遊技機１の背面は、払出用の遊技球を溜める遊技球タンク１１と、遊技球タンク１１内の遊技球を上皿６に払い出す賞球払出装置１２と、遊技球を発射する発射モータ１３と、後述する各種の基板とを備えている。
【０００８】
図３に示すように、遊技盤４には、始動口１４、大入賞口１５、入賞口（図示せず）、ゲート（図示せず）、アウト口１６、遊技釘１７などが配置されており、遊技盤４に発射された遊技球は、遊技釘１７によって各口１４〜１６に誘導される。遊技盤４の中央部には、特別図柄に係る演出図柄（抽選図柄）を変動表示する演出図柄表示部（図柄表示部）１８が設けられ、その周りは、センター飾り１９によって囲まれている。尚、本実施形態のパチンコ遊技機１は、特別図柄を形式的に表示する特別図柄表示部２０を備えるが、図３においては省略する。
【０００９】
［基本動作］
上皿６に遊技球が溜った状態で発射ハンドル８を回し操作すると、遊技盤４に向けて遊技球が発射される。発射された遊技球が始動口１４や入賞口に入賞した場合は、所定個数の遊技球が賞球として払い出される。
【００１０】
また、遊技球がゲートを通過したときは、普通図柄表示部Ｆにおいて普通図柄の変動表示が行われ、その停止図柄が所定の当り図柄である場合は、始動口１４に設けられる普通電動役物１４ａが所定時間にわたって開放動作される。
【００１１】
また、遊技球が始動口１４に入賞したときは、演出図柄表示部１８において特別図柄抽選に係る抽選図柄の変動表示が行われ、これらの抽選図柄が予め決められた大当りの組み合せで停止すると、遊技者が多くの遊技球を獲得可能な大当りモード（特定遊技状態）となる。以下、大当りの開始、終了などを契機として切換えられるパチンコ遊技機１の各種遊技モードについて、図４を参照して説明する。
【００１２】
［遊技モード］
（１）通常遊技モード
このモードでは、２段階の大当り確率のうち、低確率（例えば、１／３００）が適用される。また、このモードでは、普通図柄の抽選サイクルが長くなっている。
【００１３】
（２）大当りモード
抽選図柄が予め決められた大当り図柄で揃ったとき、このモードが実行される。大当りモードでは、大入賞口１５に設けられる特別電動役物１５ａが開放動作される。この開放動作は、所定時間の経過（例えば、３０秒）又は所定個数の入賞（例えば、１０球）を条件として終了するが、開放動作中に入賞した遊技球が大入賞口１５内の特定領域Ｖに入賞した場合は、上記開放動作が所定のラウンド数（例えば、１５ラウンド）を限度として繰り返される。
【００１４】
（３）確率変動モード
このモードは、大当りモードが終了した後、所定の確率（例えば、１／２）で実行される。つまり、大当りには、大入賞口１５の開放動作後、特別図柄抽選の当選確率を低確率にする通常大当りと、大入賞口１５の開放動作後、特別図柄抽選の当選確率を高確率にする確変大当りとがある。例えば、大当り時の停止図柄が特定の図柄であったとき、確変大当りとなる。確率変動モードでは、大当り確率が高確率（例えば、１／６０）となり、また、普通図柄の抽選サイクルが短く、しかも、普通電動役物１４ａの開放時間が長いため、持ち玉をほとんど減らすことなく、再び大当りを発生させることができる。
【００１５】
（４）時間短縮モード
このモードは、大当りモードが終了した後に実行される。時間短縮モードでは、大当り確率が低確率であるが、普通図柄の抽選サイクルが短く、しかも、普通電動役物１４ａの開放時間が長いため、持ち玉をほとんど減らすことなく、遊技を継続することができる。ただし、このモードは、大当り終了後、特別図柄の変動回数が所定回数（例えば、１００回）となった時点で終了し、通常モードに切り換えられる。
【００１６】
［基板構成］
次に、パチンコ遊技機１の基板構成について、図５を参照して説明する。この図に示すように、パチンコ遊技機１は、少なくとも主基板２１と、該主基板２１からの演出コマンドに応じて、演出処理を行う周辺基板２２とを備えている。本実施形態の主基板２１は、主制御基板２３、払出制御基板２４、発射モータ制御基板２５及び特別図柄表示基板２６を含み、周辺基板２２は、演出図柄表示制御基板２７、音声制御基板２８及びランプ制御基板２９を含んでいる。
【００１７】
払出制御基板２４には、玉切れスイッチ３０、払出センサ３１、払出モータ３２などが接続されており、主制御基板２３からの払出信号に応じて、遊技球の払い出しを行うほか、台間玉貸し機３からの貸出信号に応じて、遊技球の払い出しを行う。また、発射モータ制御基板２５には、発射スイッチ（ハンドル角センサ）３３、タッチセンサ３４、発射モータ１３などが接続されており、発射スイッチ３３及びタッチセンサ３４がＯＮのとき、発射モータ１３を駆動させる。また、特別図柄表示基板２６には、特別図柄表示装置２０が接続されており、主制御基板２３からの表示信号に応じて、特別図柄表示装置２０に特別図柄を表示させる。
【００１８】
主制御基板２３には、入賞口（図示せず）に対する遊技球の入賞を検出する入賞口スイッチＳＷ１と、始動口１４に対する遊技球の入賞を検出する始動口スイッチＳＷ２と、ゲート（図示せず）における遊技球の通過を検出するゲートスイッチＳＷ３と、大入賞口１５に対する遊技球の入賞を検出する大入賞口スイッチＳＷ４と、特定領域Ｖに対する遊技球の入賞を検出する特定領域スイッチＳＷ５と、大入賞口１５の特別電動役物１５ａなどを開閉動作させるソレノイドＳＯＬとが接続されている。そして、主制御基板２３は、上記各スイッチＳＷ１〜ＳＷ５の検出信号に応じて、特別図柄抽選処理、特別図柄表示処理、演出コマンド送信処理、大入賞口開閉処理などを行う。
【００１９】
演出図柄表示制御基板２７には、演出図柄表示装置１８や演出ボタンＢが接続されており、主制御基板２３からの演出コマンドに応じて、演出図柄表示装置１８に演出図柄を変動表示させると共に、演出ボタンＢの操作に応じたボタン演出を行う。また、音声制御基板２８には、スピーカ１０が接続されており、主制御基板２３（又は演出図柄表示制御基板２７）からの演出コマンドに応じて、所定の演出音声をスピーカ１０から出音させる。また、ランプ制御基板２９には、発光表示ランプＬが接続されており、主制御基板２３（又は演出図柄表示制御基板２７）からの演出コマンドに応じて、発光表示ランプＬを点灯動作させる。
【００２０】
［ボタン演出］
図６及び図７に示すように、演出図柄表示部１８の表示領域は、二つの表示領域３５、３６に分けられている。一方の表示領域３５は、主に抽選図柄を変動表示するための領域であり、リーチ予告演出表示、スーパーリーチ演出表示、大当り演出表示なども行われる。他方の表示領域３６は、専ら演出ボタンＢの操作に応じたボタン演出表示を行う領域であり、それ以外の表示には使用されない。従って、演出図柄表示部１８の画面開発においては、抽選図柄変動画面とボタン演出画面を完全に分離し、別々に開発することが可能になる。これにより、画面開発が効率化され、開発期間の短縮や開発コストの低減が図れる。
【００２１】
ボタン演出専用表示領域３６は、演出図柄表示部１８における表示領域の端部に設定されることが好ましい。例えば、図６及び図７に示すように、演出図柄表示部１８における表示領域の下端部にボタン演出専用表示領域３６を確保する。このようにすると、抽選図柄の変動表示領域３５を圧迫することなく、ボタン演出専用の表示領域３６を確保できる。また、ボタン演出専用表示領域３６は、演出図柄表示部１８における表示領域の全幅に亘って設定されることが好ましい。このようにると、演出図柄表示部１８における表示領域の端部であっても、可及的に広いボタン演出専用表示領域３６を確保できる。
【００２２】
図６に示すように、本実施形態では、ボタン演出を行わないとき、ボタン演出専用表示領域３６に目隠し図柄３７を表示するようにしてある。このようにすると、非ボタン演出時において、遊技者の意識を抽選図柄変動表示に集中させることができる。しかも、ボタン演出を行うときは、ボタン演出専用表示領域３６において目隠し図柄３７を開く表示を行うことができるので、ボタン演出専用表示領域３６におけるボタン演出の開始を遊技者に確実に報知することができる。また、ボタン演出専用表示領域３６において目隠し図柄３７を開く表示が行われた後、所定時間経過しても演出ボタンＢが操作されないときは、ボタン演出専用表示領域３６において目隠し図柄３７を閉じる表示が行われるようにすることが好ましい。このようにすると、ボタン演出に興味がなく、演出ボタンＢを操作しない遊技者に対して、ボタン演出の表示時間を短縮することができる。
【００２３】
図７及び図８に示すように、ボタン演出の内容は、演出ボタンＢの操作タイミングに応じて結果が変化するミニゲーム演出であることが好ましい。このようにすると、ボタン演出自体にゲーム性を付与し、遊技者の参加意識を高めることができる。本実施形態のミニゲーム演出は、図８に示すように、３種類のミニゲームを含み、いずれか一つが選択的に実行される。
【００２４】
例えば、図８の（Ａ）に示す第一のミニゲーム（ボタン演出１）は、クレーンゲームであり、画面においては、クレーン３８が左右に自動的に移動している。遊技者が演出ボタンＢを押すと、クレーン３８が下方に並ぶアイテム３９を持ち上げる。クレーン３８が持ち上げるアイテム３９は、演出ボタンＢを押すタイミングで変化し、持ち上げたアイテム３９に応じて以降の演出が決まる。例えば、外れアイテムの場合には、そのままボタン演出が終わり、当りアイテムの場合は、スーパーリーチ予告、大当り予告などの予告情報が報知される。このようにすると、ミニゲームに対する遊技者の興味が増すので、演出効果を高めることができる。
【００２５】
また、図８の（Ｂ）に示す第二のミニゲーム（ボタン演出２）は、爆弾ゲームであり、画面においては、爆弾４０が左右に自動的に移動している。画面の右端には、宝箱４１があり、遊技者がタイミング良く演出ボタンＢを押し、宝箱４１の近くで爆弾４０を爆発させると、宝箱４１内の予告アイテムを見ることができる。また、図８の（Ｃ）に示す第三のミニゲーム（ボタン演出３）は、スロットゲームであり、画面においては、左右一対のリール４２、４３が回転表示されている。左側のリール４２には、複数の主語が配列され、右側のリール４３には、複数の述語が配列されており、演出ボタンＢの操作タイミングでリール４２、４３の回転が停止し、主語と述語の組み合せが決まる。この主語と述語からなる言葉は、以降の演出を予告する予告情報であり、例えば、「大当り」＋「するかも」、「リーチ」＋「確定」、「大当り」＋「５０％」、「確変」＋「がんばれ」などの予告情報が遊技者に示される。
【００２６】
次に、演出図柄表示制御基板２７におけるボタン演出の処理手順について、図９を参照して説明する。この図に示すように、ボタン演出処理では、まず、ボタン演出の選択処理を行う（Ｓ１）。この選択処理は、主制御基板２３からのコマンドに基づいて行っても良いし、演出図柄表示制御基板２７における演出抽選の結果に基づいて行っても良い。次に、選択結果を判定し（Ｓ２）、選択結果がボタン演出なしの場合は、ボタン演出専用表示領域３６を目隠し図柄３７で閉じ（Ｓ３）、処理を終わる。
【００２７】
一方、ボタン演出１〜３のいずれかが選択された場合は、目隠し図柄３７を開いた後（Ｓ４）、タイマＴをセットし（Ｓ５）、各ボタン演出１〜３の初期画面を表示し（Ｓ６）、演出ボタンＢの操作を待つ（Ｓ７）。ここで、タイマＴが経過しても演出ボタンＢが操作されない場合は（Ｓ８）、ボタン演出専用表示領域３６を目隠し図柄３７で閉じ（Ｓ３）、処理を終わる。一方、演出ボタンＢが操作された場合は、その操作タイミングに応じたゲーム表示を行うと共に（Ｓ９）、ゲームに成功したか否かを判定する（Ｓ１０）。そして、ゲームに失敗した場合は、目隠し図柄３７を閉じて処理を終わるが（Ｓ３）、成功した場合は、予告表示を行ってから（Ｓ１１）、目隠し図柄３７を閉じる。
【００２８】
叙述の如く構成された本発明の実施形態によれば、始動口１４に対する遊技球の入賞に応じて抽選図柄の変動表示を行う演出図柄表示部１８と、遊技者によって操作される演出ボタンＢと、演出図柄表示部１８の表示を演出ボタンＢの操作に連動させるボタン演出手段（ボタン演出処理）とを備えるパチンコ遊技機１において、演出図柄表示部１８における表示領域の一部に、ボタン演出専用の表示領域３６を設定したので、抽選図柄変動画面とボタン演出画面を別々に開発でき、その結果、画面開発の効率化により、開発期間の短縮や開発コストの低減が図れる。
【００２９】
また、ボタン演出専用表示領域３６は、演出図柄表示部１８における表示領域の端部に設定されるので、抽選図柄の変動表示領域３５を圧迫することなく、ボタン演出専用の表示領域３５を確保することができる。
【００３０】
また、ボタン演出専用表示領域３６は、演出図柄表示部１８における表示領域の全幅に亘って設定されるので、演出図柄表示部１８における表示領域の端部であっても、可及的に広いボタン演出専用表示領域３６を確保できる。
【００３１】
また、ボタン演出を行わないときは、ボタン演出専用表示領域３６において目隠し図柄３７が表示されるので、非ボタン演出時において、遊技者の意識を抽選図柄変動表示に集中させることができる。
【００３２】
また、ボタン演出を行うときは、ボタン演出専用表示領域３６において目隠し図柄３７を開く表示が行われるので、ボタン演出専用表示領域３６におけるボタン演出の開始を遊技者に確実に報知することができる。
【００３３】
また、ボタン演出専用表示領域３６において目隠し図柄３７を開く表示が行われた後、所定時間経過しても演出ボタンＢが操作されないときは、ボタン演出専用表示領域３６において目隠し図柄３７を閉じる表示が行われるので、ボタン演出に興味がなく、演出ボタンＢを操作しない遊技者に対して、ボタン演出の表示時間を短縮することができる。
【００３４】
また、ボタン演出は、演出ボタンＢの操作タイミングに応じて結果が変化するミニゲーム演出であるため、ボタン演出自体にゲーム性を付与し、遊技者の参加意識を高めることができ、しかも、ミニゲーム演出は、複数種類のミニゲームを含み、いずれか一つが選択的に実行されるので、ミニゲームに対する遊技者の興味を増大させることができる。
【００３５】
また、ミニゲーム演出の結果に応じて、以降の演出内容を変化させたり、抽選結果の予告演出を行うので、ミニゲームに対する遊技者の興味が更に増し、より演出効果を高めることができる。
【００３６】
尚、本発明は、前記実施形態に限定されないことは勿論であり、例えば、パチンコ遊技機以外の遊技機（スロットマシンなど）でも実施できることは言うまでもない。
【図面の簡単な説明】
【００３７】
【図１】パチンコ遊技機の正面図である。
【図２】パチンコ遊技機の背面図である。
【図３】遊技盤の正面図である。
【図４】パチンコ遊技機の遊技モードを示すフローチャートである。
【図５】パチンコ遊技機の基板構成を示すブロック図である。
【図６】非ボタン演出状態を示す演出図柄表示部の正面図である。
【図７】ボタン演出状態を示す演出図柄表示部の正面図である。
【図８】（Ａ）〜（Ｃ）はミニゲームの画面例を示す説明図である。
【図９】ボタン演出の処理手順を示すフローチャートである。
【符号の説明】
【００３８】
１    パチンコ遊技機
４    遊技盤
１４  始動口
１５  大入賞口
１８  演出図柄表示部
２３  主制御基板
２７  演出図柄表示制御基板
３５  抽選図柄変動表示領域
３６  ボタン演出専用表示領域
Ｂ    演出ボタン
【図１】
2006271630.tif 000003
【図２】
2006271630.tif 000004
【図３】
2006271630.tif 000005
【図４】
2006271630.tif 000006
【図５】
2006271630.tif 000007
【図６】
2006271630.tif 000008
【図７】
2006271630.tif 000009
【図８】
2006271630.tif 000010
【図９】
2006271630.tif 000011